(57)【特許請求の範囲】
【請求項１】
ビデオデータ及びオーディオデータを取得するデータ取得部と、
前記データ取得部で取得した前記ビデオデータ及びオーディオデータに順次ＧＯＰを設定して前記ビデオデータ及びオーディオデータをデータ圧縮して符号化データを生成し、前記符号化データを時分割多重化してストリーミングデータを出力する符号化部と、
前記符号化部で生成する前記ストリーミングデータを記録媒体に記録する記録部とを有し、
前記符号化部は、
光ディスクのフォーマットによるセルに対応する複数のＧＯＰが記録単位に設定されて、前記光ディスクのフォーマットによる固定データ長のパックにより前記符号化データを時分割多重化して前記ストリーミングデータを生成し、
前記光ディスクのフォーマットによるナビゲーションパックの作成に必要な情報を含む特定情報であって、前記ビデオデータ及びオーディオデータの符号化データによるパックを解析しなければ取得困難な特定情報を、前記ＧＯＰ毎に、前記ストリーミングデータのプライベートパックにより、前記ストリーミングデータに多重化し、
前記特定情報が、
前記記録単位内において他のＧＯＰの先頭位置を特定する位置情報と、前記記録単位のサイズの情報と、直前の前記記録単位の最後のＧＯＰの先頭位置を特定する位置情報とである
ことを特徴とする動画記録装置。
【請求項２】
前記特定情報によるパックを前記ＧＯＰの先頭に配置する
ことを特徴とする請求項１に記載の動画記録装置。
【請求項３】
ストリーミングデータを取得するストリーミングデータの取得部と、
前記ストリーミングデータの取得部で取得した前記ストリーミングデータを、光ディスクへの記録に供するストリーミングデータに変換するデータ処理部と、
前記データ処理部で処理されたストリーミングデータを光ディスクに記録する光ディスク記録部とを有し、
前記ストリーミングデータは、
前記光ディスクのフォーマットによるセルに対応する複数のＧＯＰが記録単位に設定されて、前記光ディスクのフォーマットによる固定データ長のパックにより、ビデオデータ及びオーディオデータをデータ圧縮したデータである符号化データを時分割多重化して生成され、
前記光ディスクのフォーマットによるナビゲーションパックの作成に必要な情報を含む特定情報であって、前記ビデオデータ及びオーディオデータの符号化データによるパックを解析しなければ取得困難な特定情報が、前記ＧＯＰ毎に、前記ストリーミングデータのプライベートパックにより多重化され、
前記データ処理部は、
前記特定情報により前記光ディスクのナビゲーションパックを生成し、
該ナビゲーションパックを使用すると共に、前記記録単位をそれぞれセルに設定して、前記光ディスクへの記録に供するストリーミングデータを生成し、
前記特定情報が、
前記記録単位内において他のＧＯＰの先頭位置を特定する位置情報と、前記記録単位のサイズの情報と、直前の前記記録単位の最後のＧＯＰの先頭位置を特定する位置情報とである
ことを特徴とする動画記録装置。
【請求項４】
前記特定情報によるパックが、前記ＧＯＰの先頭に配置され、
前記データ処理部は、
前記特定情報によるパックを前記ナビゲーションパックにより置き換えて、前記光ディスクへの記録に供するストリーミングデータを生成する
ことを特徴とする請求項３に記載の動画記録装置。
【請求項５】
ビデオデータ及びオーディオデータを取得するデータ取得のステップと、
前記データ取得のステップで取得した前記ビデオデータ及びオーディオデータに順次ＧＯＰを設定して前記ビデオデータ及びオーディオデータをデータ圧縮して符号化データを生成し、前記符号化データを時分割多重化してストリーミングデータを出力する符号化のステップと、
前記符号化のステップで生成する前記ストリーミングデータを記録媒体に記録する記録のステップとを有し、
前記符号化のステップは、
光ディスクのフォーマットによるセルに対応する複数のＧＯＰが記録単位に設定されて、前記光ディスクのフォーマットによる固定データ長のパックにより前記符号化データを時分割多重化して前記ストリーミングデータを生成し、
前記光ディスクのフォーマットによるナビゲーションパックの作成に必要な情報を含む特定情報であって、前記ビデオデータ及びオーディオデータの符号化データによるパックを解析しなければ取得困難な特定情報を、前記ＧＯＰ毎に、前記ストリーミングデータのプライベートパックにより、前記ストリーミングデータに多重化し、
前記特定情報が、
前記記録単位内において他のＧＯＰの先頭位置を特定する位置情報と、前記記録単位のサイズの情報と、直前の前記記録単位の最後のＧＯＰの先頭位置を特定する位置情報とである
ことを特徴とする動画記録方法。
【請求項６】
ストリーミングデータを取得するストリーミングデータの取得のステップと、
前記ストリーミングデータの取得のステップで取得した前記ストリーミングデータを、光ディスクへの記録に供するストリーミングデータに変換するデータ処理のステップと、
前記データ処理のステップで処理されたストリーミングデータを光ディスクに記録する光ディスク記録のステップとを有し、
前記ストリーミングデータは、
前記光ディスクのフォーマットによるセルに対応する複数のＧＯＰが記録単位に設定されて、前記光ディスクのフォーマットによる固定データ長のパックにより、ビデオデータ及びオーディオデータをデータ圧縮したデータである符号化データを時分割多重化して生成され、
前記光ディスクのフォーマットによるナビゲーションパックの作成に必要な情報を含む特定情報であって、前記ビデオデータ及びオーディオデータの符号化データによるパックを解析しなければ取得困難な特定情報が、前記ＧＯＰ毎に、前記ストリーミングデータのプライベートパックにより多重化され、
前記データ処理のステップは、
前記特定情報により前記光ディスクのナビゲーションパックを生成し、
該ナビゲーションパックを用いて、前記記録単位をそれぞれセルに設定して、前記光ディスクへの記録に供するストリーミングデータを生成し、
前記特定情報が、
前記記録単位内において他のＧＯＰの先頭位置を特定する位置情報と、前記記録単位のサイズの情報と、直前の前記記録単位の最後のＧＯＰの先頭位置を特定する位置情報とである
ことを特徴とする動画記録方法。
【請求項７】
固定データ長のパックにより、ビデオデータ及びオーディオデータをデータ圧縮したデータである符号化データを時分割多重化したストリーミグデータを、伝送路により接続されたコンテンツクライアントに送出する動画伝送方法において、
前記ビデオデータ及びオーディオデータの符号化データによるパックを解析しなければ取得困難な特定情報であって、前記ストリーミングデータの再生に必要な特定情報を、ＧＯＰ毎に、前記ストリーミングデータのプライベートパックにより多重化して前記ストリーミングデータを送出することと、
前記特定情報が、
前記記録単位内において他のＧＯＰの先頭位置を特定する位置情報と、前記記録単位のサイズの情報と、直前の前記記録単位の最後のＧＯＰの先頭位置を特定する位置情報とであることと、
を特徴とする動画伝送方法。
【請求項８】
前記ＧＯＰの１個又は複数個が、光ディスクのフォーマットによるセルに対応する処理単位であり、
前記特定情報が、前記光ディスクのフォーマットによるナビゲーションパックの生成に必要な情報であり、
前記ＧＯＰの先頭に、前記特定情報によるパックを設ける
ことを特徴とする請求項７に記載の動画伝送方法。
【請求項９】
演算処理手段による実行により、動画を記録媒体に記録する動画記録方法のプログラムにおいて、
前記動画のビデオデータ及びオーディオデータを取得するデータ取得のステップと、
前記データ取得のステップで取得した前記ビデオデータ及びオーディオデータに順次ＧＯＰを設定して前記ビデオデータ及びオーディオデータをデータ圧縮して符号化データを生成し、前記符号化データを時分割多重化してストリーミングデータを出力する符号化のステップと、
前記符号化のステップで生成する前記ストリーミングデータを前記記録媒体に記録する記録のステップとを有し、
前記符号化のステップは、
光ディスクのフォーマットによるセルに対応する複数のＧＯＰが記録単位に設定されて、前記光ディスクのフォーマットによる固定データ長のパックにより前記符号化データを時分割多重化して前記ストリーミングデータを生成し、
前記光ディスクのフォーマットによるナビゲーションパックの作成に必要な情報を含む特定情報であって、前記ビデオデータ及びオーディオデータの符号化データによるパックを解析しなければ取得困難な特定情報を、前記ＧＯＰ毎に、前記ストリーミングデータのプライベートパックにより、前記ストリーミングデータに多重化し、
前記特定情報が、
前記記録単位内において他のＧＯＰの先頭位置を特定する位置情報と、前記記録単位のサイズの情報と、直前の前記記録単位の最後のＧＯＰの先頭位置を特定する位置情報とである
ことを特徴とする動画記録方法のプログラム。
【請求項１０】
演算処理手段による実行により、動画を光ディスクに記録する動画記録方法のプログラムにおいて、
ストリーミングデータを取得するストリーミングデータの取得のステップと、
前記ストリーミングデータの取得のステップで取得した前記ストリーミングデータを、前記光ディスクへの記録に供するストリーミングデータに変換するデータ処理のステップと、
前記データ処理のステップで処理されたストリーミングデータを前記光ディスクに記録する光ディスク記録のステップとを有し、
前記ストリーミングデータは、
前記光ディスクのフォーマットによるセルに対応する複数のＧＯＰが記録単位に設定されて、前記光ディスクのフォーマットによる固定データ長のパックにより、ビデオデータ及びオーディオデータをデータ圧縮したデータである符号化データを時分割多重化して生成され、
前記光ディスクのフォーマットによるナビゲーションパックの作成に必要な情報を含む特定情報であって、前記ビデオデータ及びオーディオデータの符号化データによるパックを解析しなければ取得困難な特定情報が、前記ＧＯＰ毎に、前記ストリーミングデータのプライベートパックにより多重化され、
前記データ処理のステップは、
前記特定情報により前記光ディスクのナビゲーションパックを生成し、
該ナビゲーションパックを用いて、前記記録単位をそれぞれセルに設定して、前記光ディスクへの記録に供するストリーミングデータを生成し、
前記特定情報が、
前記記録単位内において他のＧＯＰの先頭位置を特定する位置情報と、前記記録単位のサイズの情報と、直前の前記記録単位の最後のＧＯＰの先頭位置を特定する位置情報とである
ことを特徴とする動画記録方法のプログラム。
【請求項１１】
演算処理手段による実行により、動画を記録媒体に記録する動画記録方法のプログラムを記録した記録媒体において、
前記動画のビデオデータ及びオーディオデータを取得するデータ取得のステップと、
前記データ取得のステップで取得した前記ビデオデータ及びオーディオデータに順次ＧＯＰを設定して前記ビデオデータ及びオーディオデータをデータ圧縮して符号化データを生成し、前記符号化データを時分割多重化してストリーミングデータを出力する符号化のステップと、
前記符号化のステップで生成する前記ストリーミングデータを記録媒体に記録する記録のステップとを有し、
前記符号化のステップは、
光ディスクのフォーマットによるセルに対応する複数のＧＯＰが記録単位に設定されて、前記光ディスクのフォーマットによる固定データ長のパックにより前記符号化データを時分割多重化して前記ストリーミングデータを生成し、
前記光ディスクのフォーマットによるナビゲーションパックの作成に必要な情報を含む特定情報であって、前記ビデオデータ及びオーディオデータの符号化データによるパックを解析しなければ取得困難な特定情報を、前記ＧＯＰ毎に、前記ストリーミングデータのプライベートパックにより、前記ストリーミングデータに多重化し、
前記特定情報が、
前記記録単位内において他のＧＯＰの先頭位置を特定する位置情報と、前記記録単位のサイズの情報と、直前の前記記録単位の最後のＧＯＰの先頭位置を特定する位置情報とである
ことを特徴とする動画記録方法のプログラムを記録した記録媒体。
【請求項１２】
演算処理手段による実行により、動画を光ディスクに記録する動画記録方法のプログラムを記録した記録媒体において、
ストリーミングデータを取得するストリーミングデータの取得のステップと、
前記ストリーミングデータの取得のステップで取得した前記ストリーミングデータを、前記光ディスクへの記録に供するストリーミングデータに変換するデータ処理のステップと、
前記データ処理のステップで処理されたストリーミングデータを前記光ディスクに記録する光ディスク記録のステップとを有し、
前記ストリーミングデータは、
前記光ディスクのフォーマットによるセルに対応する複数のＧＯＰが記録単位に設定されて、前記光ディスクのフォーマットによる固定データ長のパックにより、ビデオデータ及びオーディオデータをデータ圧縮したデータである符号化データを時分割多重化して生成され、
前記光ディスクのフォーマットによるナビゲーションパックの作成に必要な情報を含む特定情報であって、前記ビデオデータ及びオーディオデータの符号化データによるパックを解析しなければ取得困難な特定情報が、前記ＧＯＰ毎に、前記ストリーミングデータのプライベートパックにより多重化され、
前記データ処理のステップは、
前記特定情報により前記光ディスクのナビゲーションパックを生成し、
該ナビゲーションパックを用いて、前記記録単位をそれぞれセルに設定して、前記光ディスクへの記録に供するストリーミングデータを生成し、
前記特定情報が、
前記記録単位内において他のＧＯＰの先頭位置を特定する位置情報と、前記記録単位のサイズの情報と、直前の前記記録単位の最後のＧＯＰの先頭位置を特定する位置情報とである
ことを特徴とする動画記録方法のプログラムを記録した記録媒体。
【発明の詳細な説明】
【技術分野】
【０００１】
本発明は、動画記録装置、動画記録方法、動画伝送方法、動画記録方法のプログラム及び動画記録方法のプログラムを記録した記録媒体に関し、例えばハードディスク装置を記録媒体に適用したビデオカメラに適用することができる。本発明は、光ディスクのフォーマットによる固定データ長のパックによりデータ圧縮したビデオデータ及びオーディオデータを多重化するようにして、ナビゲーションパックの作成に必要な情報を含む特定情報であって、ビデオデータ及びオーディオデータのパックを解析しなければ取得困難な特定情報を、ＧＯＰ毎にストリーミングデータに多重化することにより、ＤＶＤ等の光ディスクの記録に要する時間を従来に比して格段的に短くすることができるようにする。
【背景技術】
【０００２】
近年、動画記録装置である携帯型のビデオカメラは、ハードディスク装置、磁気テープ等を記録媒体に適用して、撮像結果による動画を記録するものが提供されている。このような動画記録装置は、ＭＰＥＧ（Moving Picture Experts Group）２の手法によりビデオデータ及びオーディオデータによるストリーミングデータを記録媒体に記録しており、この処理では、ＧＯＰ（Group Of Pictures ）を順次設定してビデオデータ及びオーディオデータをデータ圧縮し、その処理結果による符号化データを時分割多重化してストリーミングデータを生成している。
【０００３】
これに対して同様の動画記録装置であるＤＶＤ（Digital Versatile Disk）レコーダーは、同様に、ＭＰＥＧ２の手法によりビデオデータ及びオーディオデータをデータ圧縮して所定フォーマットによりＤＶＤによる光ディスクに記録している。
【０００４】
ここでＤＶＤレコーダーは、図１２（Ａ）及び（Ｂ）に示すように、ＤＶＤによる光ディスクの情報記録面を最内周よりリードイン領域、ファイルシステム領域、管理情報領域、データ記録領域、リードアウト領域に区切ってビデオデータ及びオーディオデータを記録する。
【０００５】
ここでファイルシステム領域及び管理情報領域は、この光ディスクに記録されたビデオデータによるファイルを管理する管理用情報の記録領域であり、それぞれＵＤＦ（Universal Disk Format ）及びＶＭＧ（Video Manager ）が設けられる。
【０００６】
ここでＵＤＦは、ＩＳＯ９６６０及びＵＤＦの規格に準拠するコンピュータのファイル管理システムに対応する領域であり、コンピュータにおけるファイルシステムとの互換を図るフォーマットによりデータ記録領域を管理する管理用情報が記録される。
【０００７】
これに対してＶＭＧは、図１２（Ｃ）に示すように、ＤＶＤプレイヤーに対応する管理用情報の領域であり、先頭のＶＭＧＩ（ＶＭＧ Information）にＶＭＧの管理情報が記録される。また続くＶＭＧＭ  ＶＯＢＳ（Video OBject Set for  ＶＭＧ Menu ）にＶＭＧの実データが記録され、続くＶＭＧＩ  ＢＵＰ（ＶＭＧＩ for Back UP）にＶＭＧＩのバックアップが記録される。
【０００８】
データ記録領域は、ＤＶＤの実データの記録領域であり、ビデオタイトルセット（ＶＴＳ：Video Title Set ）を単位にしてＭＰＥＧ２によりデータ圧縮されたビデオデータ及びオーディオデータによる符号化データが記録される。ビデオタイトルセット（ＶＴＳ）は、図１２（Ｄ）に示すように、先頭側より、ＶＴＳＩ（Video Title Set Information ）、ＶＴＳＭ  ＶＯＢＳ（Video Object Set for the VTSM ）、ＶＴＳＴＴ  ＶＯＢＳ(Video Object SetFor Titl es in a VTS)  、ＶＴＳＩ  ＢＵＰ（Backup of VTSI）により構成される。
【０００９】
ここでＶＴＳＴＴ  ＶＯＢＳは、ビデオデータ及びオーディオデータによる符号化データが記録され、ＶＴＳＩは、このＶＴＳＴＴ  ＶＯＢＳに記録した実データを管理する管理用情報である記録位置情報等が記録される。またＶＴＳＭ  ＶＯＢＳは、ビデオデータのタイトルメニューが記録される。なおＶＴＳＭ  ＶＯＢＳは、オプションである。ＶＴＳＩ  ＢＵＰは、ＶＴＳＩのバックアップである。
【００１０】
これらによりこの種の光ディスクは、コンピュータによりアクセスする場合は、ＵＤＦにより所望するファイルを検索して再生することができ、ＤＶＤプレイヤーによりアクセスする場合には、ＶＭＧにより所望するファイルを検索して再生することができるように作成されている。
【００１１】
図１３（Ａ）〜（Ｆ）は、ＶＴＳＴＴ  ＶＯＢＳの詳細を示す略線図である。なお、以下において、適宜、ＶＴＳＴＴ  ＶＯＢＳを単にＶＯＢＳと称する。因みに、ＶＭＧＭ  ＶＯＢＳ、ＶＴＳＭ  ＶＯＢＳは、この図１３に示す形式と同一の形式により実データが保持される。
【００１２】
ここでＶＴＳＴＴ  ＶＯＢＳは、１個以上のビデオオブジェクト（ＶＯＢ）の集合である。各ＶＯＢは、それぞれ識別コードであるＶＯＢ  ＩＤが割り当てられ、１個以上のセル（Ｃｅｌｌ）により構成される。各セルは、それぞれ識別コードであるセルＩＤが割り当てられ、１個以上のビデオオブジェクトユニット（ＶＯＢＵ：Video Object Unit ）が設けられる。
【００１３】
ここでＶＯＢＵは、１つのＧＯＰが割り当てられて形成され、ナビゲーションパック（ＮＶ  ＰＣＫ）を先頭とするパック列により形成される。ここで各パックは、２０４８バイトの固定データ長により形成される。ＶＯＢＵは、先頭にナビゲーションパックが設けられ、ビデオデータによる符号化データを保持するビデオパック（Ｖ  ＰＣＫ）、オーディオデータによる符号化データを保持するオーディオパック（Ａ  ＰＣＫ）、サブピクチャーデータを保持するサブピクチャーパック（ＳＰ  ＰＣＫ）等が設けられる。
【００１４】
ここでナビゲーションパック（ＮＶ  ＰＣＫ）は、各セルにおけるビデオデータ、オーディオデータの再生に必要な制御情報が割り当てられる。具体的に、ＮＶ  ＰＣＫは、そのＮＶ  ＰＣＫが設けられたＶＯＢＵ内のＧＯＰ内に設けられたビデオデータ及びオーディオデータの情報、連係して再生される他のＶＯＢＵとの相関関係を示す情報等が割り当てられる。
【００１５】
このためナビゲーションパック（ＮＶ  ＰＣＫ）は、パックヘッダに続いて、再生制御情報（ＰＣＩ：Presentation Control Information）及びデータ検索情報（ＤＳＩ：Data Search Information ）が設けられ、この再生制御情報（ＰＣＩ）に、ノンシームレス再生のためのアングル情報、サブピクチャーのハイライト表示のための情報等の、再生表示に関する制御情報が割り当てられ、データ検索情報（ＤＳＩ）に、アクセスに関する制御情報が割り当てられる。
【００１６】
ここで図１４に示すように、データ検索情報（ＤＳＩ）は、ＤＳＩ  ＧＩ、ＳＭＬ  ＰＢＩ、ＳＭＬ  ＡＧＬＩ、ＶＯＢＵ  ＳＲＩおよびＳＹＮＣＩから構成され、ＳＹＮＣＩの次に予約領域が設けられる。
【００１７】
ＤＳＩ  ＧＩは、当該ＤＳＩ  ＧＩのナビゲーションパックの論理ブロックナンバ、ＶＯＢＵの終了アドレス等のＤＳＩに関する位置情報が一般情報として格納される。ＳＭＬ  ＰＢＩは、シームレスＶＯＢＵのカテゴリ、ＶＯＢ内のビデオの開始時刻及び再生終了時刻、ＶＯＢＵ内のオーディオの再生終了時刻等の、シームレス再生を実現するために必要な情報が格納される。ＳＭＬ  ＡＧＬＩは、アングル変更時の行き先アドレスに関する情報であるシームレス用アングル情報が格納される。このＳＭＬ  ＡＧＬＩは、必要な場合に限って有効な情報が設定される。
【００１８】
ＶＯＢＵ  ＳＲＩは、１つのセルで当該ＶＯＢＵ  ＳＲＩが属するＤＳＩが含まれるＶＯＢＵの再生開始時刻の前後（０．５×ｎ）秒に再生されるＶＯＢＵの先頭アドレスが格納される。このＶＯＢＵ  ＳＲＩに格納される情報を用いることで、ＶＯＢＵ単位でのサーチを行うことができる。
【００１９】
ＳＹＮＣＩは、同期情報、すなわち、当該ＳＹＮＣＩが属するＤＳＩが含まれるＶＯＢＵのビデオデータと同期して再生されるオーディオデータとサブピクチャーデータのアドレス情報が格納される。
【００２０】
これらによりＤＶＤのフォーマットによる動画記録装置は、ＭＰＥＧ２の手法によりビデオデータ及びオーディオデータをデータ圧縮して符号化データを生成し、ナビゲーションパック（ＮＶ  ＰＣＫ）に続いてビデオデータ及びオーディオデータの符号化データ時分割多重化処理してストリーミングデータを生成し、このストリーミングデータをＤＶＤによる光ディスクに記録している。
【００２１】
このようなＤＶＤの光ディスクへのデータの記録に関して、例えば特開２００４−３１２６６３号公報、特開２００５−７９８２３号公報等には、付加情報による付加情報パックをＶＯＢＵに割り当てて記録することにより、使い勝手を向上する方法が提案されている。
【００２２】
ところで携帯型のビデオカメラ等で記録した撮像結果は、コンピュータにアップロードして編集ソフトにより編集し直し、ＤＶＤの光ディスクに記録する場合がある。この場合、ビデオカメラ等でもＭＰＥＧ２の手法によりビデオデータ及びオーディオデータをデータ圧縮して記録していることにより、簡易な処理により編集結果をＤＶＤの光ディスクに記録することができると思われる。
【００２３】
しかしながら実際上、編集結果をＤＶＤの光ディスクに記録する場合、データ圧縮したビデオデータ及びオーディオデータを解析し直してナビゲーションパック（ＮＶ  ＰＣＫ）の作成に必要なデータを取得し直す必要があり、これにより処理に時間を要する問題があった。
【特許文献１】特開２００４−３１２６６３号公報
【特許文献２】特開２００５−７９８２３号公報
【発明の開示】
【発明が解決しようとする課題】
【００２４】
本発明は以上の点を考慮してなされたもので、ＤＶＤ等の光ディスクの記録に要する時間を従来に比して格段的に短くすることができる動画記録装置、動画記録方法、動画記録方法のプログラム及び動画記録方法のプログラムを記録した記録媒体、この動画記録方法を利用した動画伝送方法を提案しようとするものである。
【課題を解決するための手段】
【００２５】
かかる課題を解決するため請求項１の発明は、動画記録装置に適用して、ビデオデータ及びオーディオデータを取得するデータ取得部と、前記データ取得部で取得した前記ビデオデータ及びオーディオデータに順次ＧＯＰを設定して前記ビデオデータ及びオーディオデータをデータ圧縮して符号化データを生成し、前記符号化データを時分割多重化してストリーミングデータを出力する符号化部と、前記符号化部で生成する前記ストリーミングデータを記録媒体に記録する記録部とを有し、前記符号化部は、光ディスクのフォーマットによるセルに対応する複数のＧＯＰが記録単位に設定されて、前記光ディスクのフォーマットによる固定データ長のパックにより前記符号化データを時分割多重化して前記ストリーミングデータを生成し、前記光ディスクのフォーマットによるナビゲーションパックの作成に必要な情報を含む特定情報であって、前記ビデオデータ及びオーディオデータの符号化データによるパックを解析しなければ取得困難な特定情報を、前記ＧＯＰ毎に、前記ストリーミングデータのプライベートパックにより、前記ストリーミングデータに多重化する。
【００２６】
また請求項４の発明は、動画記録装置に適用して、ストリーミングデータを取得するストリーミングデータの取得部と、前記ストリーミングデータの取得部で取得した前記ストリーミングデータを、光ディスクへの記録に供するストリーミングデータに変換するデータ処理部と、前記データ処理部で処理されたストリーミングデータを光ディスクに記録する光ディスク記録部とを有し、前記ストリーミングデータは、前記光ディスクのフォーマットによるセルに対応する複数のＧＯＰが記録単位に設定されて、前記光ディスクのフォーマットによる固定データ長のパックにより、ビデオデータ及びオーディオデータをデータ圧縮したデータである符号化データを時分割多重化して生成され、前記光ディスクのフォーマットによるナビゲーションパックの作成に必要な情報を含む特定情報であって、前記ビデオデータ及びオーディオデータの符号化データによるパックを解析しなければ取得困難な特定情報が、前記ＧＯＰ毎に、前記ストリーミングデータのプライベートパックにより多重化され、前記データ処理部は、前記特定情報により前記光ディスクのナビゲーションパックを生成し、該ナビゲーションパックを用いて、前記記録単位をそれぞれセルに設定して、前記光ディスクへの記録に供するストリーミングデータを生成する。
【００２７】
また請求項６の発明は、動画記録方法に適用して、ビデオデータ及びオーディオデータを取得するデータ取得のステップと、前記データ取得のステップで取得した前記ビデオデータ及びオーディオデータに順次ＧＯＰを設定して前記ビデオデータ及びオーディオデータをデータ圧縮して符号化データを生成し、前記符号化データを時分割多重化してストリーミングデータを出力する符号化のステップと、前記符号化のステップで生成する前記ストリーミングデータを記録媒体に記録する記録のステップとを有し、前記符号化のステップは、光ディスクのフォーマットによるセルに対応する複数のＧＯＰが記録単位に設定されて、前記光ディスクのフォーマットによる固定データ長のパックにより前記符号化データを時分割多重化して前記ストリーミングデータを生成し、前記光ディスクのフォーマットによるナビゲーションパックの作成に必要な情報を含む特定情報であって、前記ビデオデータ及びオーディオデータの符号化データによるパックを解析しなければ取得困難な特定情報を、前記ＧＯＰ毎に、前記ストリーミングデータのプライベートパックにより、前記ストリーミングデータに多重化する。
【００２８】
また請求項７の発明は、動画記録方法に適用して、ストリーミングデータを取得するストリーミングデータの取得のステップと、前記ストリーミングデータの取得のステップで取得した前記ストリーミングデータを、光ディスクへの記録に供するストリーミングデータに変換するデータ処理のステップと、前記データ処理のステップで処理されたストリーミングデータを光ディスクに記録する光ディスク記録のステップとを有し、前記ストリーミングデータは、前記光ディスクのフォーマットによるセルに対応する複数のＧＯＰが記録単位に設定されて、前記光ディスクのフォーマットによる固定データ長のパックにより、ビデオデータ及びオーディオデータをデータ圧縮したデータである符号化データを時分割多重化して生成され、前記光ディスクのフォーマットによるナビゲーションパックの作成に必要な情報を含む特定情報であって、前記ビデオデータ及びオーディオデータの符号化データによるパックを解析しなければ取得困難な特定情報が、前記ＧＯＰ毎に、前記ストリーミングデータのプライベートパックにより多重化され、前記データ処理のステップは、前記特定情報により前記光ディスクのナビゲーションパックを生成し、該ナビゲーションパックを用いて、前記記録単位をそれぞれセルに設定して、前記光ディスクへの記録に供するストリーミングデータを生成する。
【００２９】
また請求項８の発明は、固定データ長のパックにより、ビデオデータ及びオーディオデータをデータ圧縮したデータである符号化データを時分割多重化したストリーミグデータを、前記記録単位毎に、伝送路により接続されたコンテンツクライアントに送出する動画伝送方法に適用して、前記ビデオデータ及びオーディオデータの符号化データによるパックを解析しなければ取得困難な特定情報であって、前記ストリーミングデータの再生に必要な特定情報を、前記ＧＯＰ毎に、前記ストリーミングデータのプライベートパックにより多重化して前記ストリーミングデータを送出する。
【００３０】
また請求項１０の発明は、演算処理手段による実行により、動画を記録媒体に記録する動画記録方法のプログラムに適用して、前記動画のビデオデータ及びオーディオデータを取得するデータ取得のステップと、前記データ取得のステップで取得した前記ビデオデータ及びオーディオデータに順次ＧＯＰを設定して前記ビデオデータ及びオーディオデータをデータ圧縮して符号化データを生成し、前記符号化データを時分割多重化してストリーミングデータを出力する符号化のステップと、前記符号化のステップで生成する前記ストリーミングデータを記録媒体に記録する記録のステップとを有し、前記符号化のステップは、光ディスクのフォーマットによるセルに対応する複数のＧＯＰが記録単位に設定されて、前記光ディスクのフォーマットによる固定データ長のパックにより前記符号化データを時分割多重化して前記ストリーミングデータを生成し、前記光ディスクのフォーマットによるナビゲーションパックの作成に必要な情報を含む特定情報であって、前記ビデオデータ及びオーディオデータの符号化データによるパックを解析しなければ取得困難な特定情報を、前記ＧＯＰ毎に、前記ストリーミングデータのプライベートパックにより、前記ストリーミングデータに多重化する。
【００３１】
また請求項１１の発明は、演算処理手段による実行により、動画を光ディスクに記録する動画記録方法のプログラムに適用して、ストリーミングデータを取得するストリーミングデータの取得のステップと、前記ストリーミングデータの取得のステップで取得した前記ストリーミングデータを、前記光ディスクへの記録に供するストリーミングデータに変換するデータ処理のステップと、前記データ処理のステップで処理されたストリーミングデータを前記光ディスクに記録する光ディスク記録のステップとを有し、前記ストリーミングデータは、前記光ディスクのフォーマットによるセルに対応する複数のＧＯＰが記録単位に設定されて、前記光ディスクのフォーマットによる固定データ長のパックにより、ビデオデータ及びオーディオデータをデータ圧縮したデータである符号化データを時分割多重化して生成され、前記光ディスクのフォーマットによるナビゲーションパックの作成に必要な情報を含む特定情報であって、前記ビデオデータ及びオーディオデータの符号化データによるパックを解析しなければ取得困難な特定情報が、前記ＧＯＰ毎に、前記ストリーミングデータのプライベートパックにより多重化され、前記データ処理のステップは、前記特定情報により前記光ディスクのナビゲーションパックを生成し、該ナビゲーションパックを用いて、前記記録単位をそれぞれセルに設定して、前記光ディスクへの記録に供するストリーミングデータを生成する。
【００３２】
また請求項１２の発明は、演算処理手段による実行により、動画を記録媒体に記録する動画記録方法のプログラムを記録した記録媒体に適用して、前記動画のビデオデータ及びオーディオデータを取得するデータ取得のステップと、前記データ取得のステップで取得した前記ビデオデータ及びオーディオデータに順次ＧＯＰを設定して前記ビデオデータ及びオーディオデータをデータ圧縮して符号化データを生成し、前記符号化データを時分割多重化してストリーミングデータを出力する符号化のステップと、前記符号化のステップで生成する前記ストリーミングデータを記録媒体に記録する記録のステップとを有し、前記符号化のステップは、光ディスクのフォーマットによるセルに対応する複数のＧＯＰが記録単位に設定されて、前記光ディスクのフォーマットによる固定データ長のパックにより前記符号化データを時分割多重化して前記ストリーミングデータを生成し、前記光ディスクのフォーマットによるナビゲーションパックの作成に必要な情報を含む特定情報であって、前記ビデオデータ及びオーディオデータの符号化データによるパックを解析しなければ取得困難な特定情報を、前記ＧＯＰ毎に、前記ストリーミングデータのプライベートパックにより、前記ストリーミングデータに多重化する。
【００３３】
また請求項１３の発明は、演算処理手段による実行により、動画を光ディスクに記録する動画記録方法のプログラムを記録した記録媒体に適用して、ストリーミングデータを取得するストリーミングデータの取得のステップと、前記ストリーミングデータの取得のステップで取得した前記ストリーミングデータを、前記光ディスクへの記録に供するストリーミングデータに変換するデータ処理のステップと、前記データ処理のステップで処理されたストリーミングデータを前記光ディスクに記録する光ディスク記録のステップとを有し、前記ストリーミングデータは、前記光ディスクのフォーマットによるセルに対応する複数のＧＯＰが記録単位に設定されて、前記光ディスクのフォーマットによる固定データ長のパックにより、ビデオデータ及びオーディオデータをデータ圧縮したデータである符号化データを時分割多重化して生成され、前記光ディスクのフォーマットによるナビゲーションパックの作成に必要な情報を含む特定情報であって、前記ビデオデータ及びオーディオデータの符号化データによるパックを解析しなければ取得困難な特定情報が、前記ＧＯＰ毎に、前記ストリーミングデータのプライベートパックにより多重化され、前記データ処理のステップは、前記特定情報により前記光ディスクのナビゲーションパックを生成し、該ナビゲーションパックを用いて、前記記録単位をそれぞれセルに設定して、前記光ディスクへの記録に供するストリーミングデータを生成する。
【００３４】
請求項１の構成により、動画記録装置に適用して、ビデオデータ及びオーディオデータを取得するデータ取得部と、前記データ取得部で取得した前記ビデオデータ及びオーディオデータに順次ＧＯＰを設定して前記ビデオデータ及びオーディオデータをデータ圧縮して符号化データを生成し、前記符号化データを時分割多重化してストリーミングデータを出力する符号化部と、前記符号化部で生成する前記ストリーミングデータを記録媒体に記録する記録部とを有し、前記符号化部は、光ディスクのフォーマットによるセルに対応する複数のＧＯＰが記録単位に設定されて、前記光ディスクのフォーマットによる固定データ長のパックにより前記符号化データを時分割多重化して前記ストリーミングデータを生成し、前記光ディスクのフォーマットによるナビゲーションパックの作成に必要な情報を含む特定情報であって、前記ビデオデータ及びオーディオデータの符号化データによるパックを解析しなければ取得困難な特定情報を、前記ＧＯＰ毎に、前記ストリーミングデータのプライベートパックにより、前記ストリーミングデータに多重化すれば、このストリーミングデータは、ビデオデータ及びオーディオデータの符号化データによるパックをいちいち再生して解析しなくても、この特定情報の再生により、ナビゲーションパックの生成に必要な情報を取得することができる。これによりナビゲーションパックの作成処理を簡略化することができ、その分、ＤＶＤ等の光ディスクの記録に要する時間を従来に比して格段的に短くすることができる。
【００３５】
これにより請求項６、請求項１０、請求項１２の構成によれば、ＤＶＤ等の光ディスクの記録に要する時間を従来に比して格段的に短くすることができる動画記録方法、動画記録方法のプログラム及び動画記録方法のプログラムを記録した記録媒体を提供することができる。
【００３６】
また請求項４の構成によれば、動画記録装置に適用して、ストリーミングデータを取得するストリーミングデータの取得部と、前記ストリーミングデータの取得部で取得した前記ストリーミングデータを、光ディスクへの記録に供するストリーミングデータに変換するデータ処理部と、前記データ処理部で処理されたストリーミングデータを光ディスクに記録する光ディスク記録部とを有し、前記ストリーミングデータは、前記光ディスクのフォーマットによるセルに対応する複数のＧＯＰが記録単位に設定されて、前記光ディスクのフォーマットによる固定データ長のパックにより、ビデオデータ及びオーディオデータをデータ圧縮したデータである符号化データを時分割多重化して生成され、前記光ディスクのフォーマットによるナビゲーションパックの作成に必要な情報を含む特定情報であって、前記ビデオデータ及びオーディオデータの符号化データによるパックを解析しなければ取得困難な特定情報が、前記ＧＯＰ毎に、前記ストリーミングデータのプライベートパックにより多重化され、前記データ処理部は、前記特定情報により前記光ディスクのナビゲーションパックを生成し、該ナビゲーションパックを用いて、前記記録単位をそれぞれセルに設定して、前記光ディスクへの記録に供するストリーミングデータを生成することにより、ビデオデータ及びオーディオデータの符号化データによるパックをいちいち再生、解析してナビゲーションパックを作成しない分、ナビゲーションパックの作成処理を簡略化することができ、その分、ＤＶＤ等の光ディスクの記録に要する時間を従来に比して格段的に短くすることができる。
【００３７】
これにより請求項７、請求項１１、請求項１３の構成によれば、ＤＶＤ等の光ディスクの記録に要する時間を従来に比して格段的に短くすることができる動画記録方法、動画記録方法のプログラム及び動画記録方法のプログラムを記録した記録媒体を提供することができる。
【００３８】
また請求項８の構成によれば、固定データ長のパックにより、ビデオデータ及びオーディオデータをデータ圧縮したデータである符号化データを時分割多重化したストリーミグデータを、前記ＧＯＰ毎に、伝送路により接続されたコンテンツクライアントに送出する動画伝送方法に適用して、前記ビデオデータ及びオーディオデータの符号化データによるパックを解析しなければ取得困難な特定情報であって、前記ストリーミングデータの再生に必要な特定情報を、前記記録単位毎に、前記ストリーミングデータのプライベートパックにより多重化して前記ストリーミングデータを送出することにより、コンテンツクライアントに要求された記録単位のデータを送信するようにして、光ディスクのフォーマットを有効に利用して、かつ光ディスクのフォーマット、この種のストリーミングデータのフォーマットに抵触しないようにして、伝送に供する記録単位の再生に必要な情報を効率良く伝送し、デコードすることができる。
【発明の効果】
【００３９】
本発明によれば、ＤＶＤ等の光ディスクの記録に要する時間を従来に比して格段的に短くすることができる。
【発明を実施するための最良の形態】
【００４０】
以下、適宜図面を参照しながら本発明の実施例を詳述する。
【実施例１】
【００４１】
（１）実施例の構成
図２は、本発明の実施例に係る編集システムを示すブロック図である。この編集システム１は、ビデオカメラ２により動画による撮像結果を記録し、この記録した撮像結果を編集装置３により編集してＤＶＤによる光ディスクに記録する。
【００４２】
このためビデオカメラ２は、制御部５によりカメラ部６、記録再生処理部７の動作を制御して動画による撮像結果を記録し、またこの記録した撮像結果を編集装置３に出力する。
【００４３】
ここでビデオカメラ２において、カメラ部６は、制御部５の制御により撮像結果によるビデオデータ及びオーディオデータを取得して記録再生処理部７に出力する。すなわちカメラ部６において、撮像系１１は、ＣＣＤ（Charge Coupled Device ）等による撮像素子と、この撮像素子の撮像面に入射光を集光して光学像を形成するレンズ等により構成され、カメラ制御部１２の制御によりレンズの倍率、フォーカス、絞り、撮像素子のシャッター速度等を可変して撮像素子から撮像結果を出力する。カメラ制御部１２は、制御部５の制御により、この撮像系１１の動作を制御する。
【００４４】
信号変換部１３は、撮像系１１から出力される撮像結果を相関二重サンプリング処理、マトリックス演算処理等して赤色、緑色、青色による色信号を出力する。撮像信号処理部１４は、この信号変換部１３から出力される色信号をガンマ調整、ホワイトバランス調整等した後、輝度信号及び色差信号によるビデオデータに変換して記録再生処理部７に出力する。
【００４５】
音声入力部１５は、内蔵又は外付けのマイクロホンにより構成され、被写体の音声信号を取得して出力し、音声信号処理部１６は、この音声入力部１５から出力される音声信号をアナログディジタル変換処理してオーディオデータを生成した後、利得、音質等を調整して出力する。
【００４６】
記録再生処理部７は、このカメラ部６から出力されるビデオデータ及びオーディオデータをデータ圧縮して記録媒体に記録し、また記録したビデオデータ及びオーディオデータを再生して各部に出力する。すなわち記録再生処理部７において、符号化／復号部２１は、記録時、カメラ部６から出力されるビデオデータ及びオーディオデータを所定フォーマットによりデータ圧縮してストリーミングデータを生成し、このストリーミングデータをディスクインターフェース（ディスクＩ／Ｆ）２３に出力する。また再生時、このディスクインターフェース２３より得られるストリーミングデータをデータ伸長して制御部５等に出力する。符号化／復号部２１は、これらビデオデータ及びオーディオデータのデータ圧縮を、ＭＰＥＧ２の手法を適用して実行し、後述するフォーマットによるストリーミングデータを生成する。
【００４７】
ディスクインターフェース２３は、記録媒体２５と符号化／復号部２１との間のデータ入出力に係るインターフェースであり、これにより記録媒体２５に符号化／復号部２１から出力されるストリーミングデータＤ１を記録し、また記録媒体２５からストリーミングデータＤ１を再生して出力する。記録媒体２５は、例えばハードディスク装置により構成され、撮像結果を記録再生する。なおこの記録媒体２５は、ハードディスク装置に代えて、磁気テープ、メモリカード、各種光ディスク等、種々の記録媒体を広く適用することができる。バッファメモリ２６は、符号化／復号部２１の処理に係るビデオデータ等を一時保持して、符号化／復号部２１の外部メモリを構成する。出力処理部２７は、符号化／復号部２１と外部機器、制御部５等との間のデータ入出力に係るインターフェースであり、これによりこのビデオカメラ２は、記録媒体２５より再生した撮像結果、カメラ部６より得られる撮像結果を編集装置３、制御部５等に出力する。
【００４８】
制御部５は、ユーザーによる操作に応動して各部の動作を制御し、また撮像結果のモニタ画像を表示する。すなわち制御部５において、時計回路３９は、現在時刻を計測して計測結果をバスＢＵＳに出力し、操作入力インターフェース（操作入力Ｉ／Ｆ）３２は、操作入力部３３を介して検出されるユーザーによる操作をバスＢＵＳを介して処理部３４に通知する。ここで操作入力部３３は、このビデオカメラ２に設けられた各種操作子、表示部３５に設けられたタッチパネル、これらの周辺回路等により構成され、ユーザーによる各種操作を検出する。
【００４９】
表示部３５は、カメラ部６で取得される撮像結果、記録媒体２５から再生される撮像結果をモニタするモニタ機構であり、例えば液晶表示装置により構成される。表示制御部３６は、バスＢＵＳに出力される撮像結果により表示部３５を駆動する。メモリカードインターフェース（メモリカードＩ／Ｆ）３７は、バスＢＵＳに出力される撮像結果をメモリカード３８に記録し、またメモリカード３８に記録した撮像結果を再生してバスＢＵＳに出力する。
【００５０】
処理部３４は、ランダムアクセスメモリ（ＲＡＭ）４０にワークエリアを確保してリードオンリメモリ（ＲＯＭ）４１に記録されたプログラムを実行する演算処理手段であり、このプログラムの実行によりユーザーによる操作に応動して各部の動作を制御する。
【００５１】
処理部３４は、この各部の動作の制御により、ユーザーが撮影のスタンバイを指示すると、カメラ部６、記録再生処理部７の動作を立ち上げ、撮像信号処理部１４、音声信号処理部１６から出力されるビデオデータ及びオーディオデータによる撮像結果を符号化／復号部２１、出力処理部２７、バスＢＵＳを順次介して表示制御部３６に入力し、この撮像結果を表示部３５で表示する。これにより撮像結果をモニタできるようにする。
【００５２】
またこのようにして撮像結果をモニタできるようにして、ユーザーより記録開始が指示されると、符号化／復号部２１によりビデオデータ及びオーディオデータの符号化処理を開始し、その結果得られるストリーミングデータＤ１を記録媒体２５に記録する。またこのような記録媒体２５への記録に代えて、メモリカード３８への記録が指示されると、出力処理部２７、バスＢＵＳを順次介して、符号化／復号部２１により生成されるストリーミングデータＤ１をメモリカードインターフェース３７に出力し、これによりメモリカード３８に撮像結果を記録する。
【００５３】
これに対して記録媒体２５に記録した撮像結果のモニタがユーザーにより指示されると、記録媒体２５に記録された撮像結果の再生を指示し、その結果記録媒体２５から再生されるストリーミングデータＤ１を符号化／復号部２１により復号する。また復号結果であるビデオデータ及びオーディオデータを出力処理部２７、バスＢＵＳを順次介して表示制御部３６に入力し、この復号結果を表示部３５で表示する。また記録媒体２５に代えて、メモリカード３８に記録された撮像結果の表示が指示されると、各部の動作の制御により、メモリカード３８に記録された撮像結果を同様に処理して表示部３５で表示する。
【００５４】
これに対して記録媒体２５に記録した撮像結果のダウンロードが指示されると、符号化／復号部２１における復号化処理を中止した状態で、符号化／復号部２１、出力処理部２７を順次介して、記録媒体２５より再生されるストリーミングデータＤ１を編集装置３に出力する。また記録媒体２５に代えて、メモリカード３８に記録された撮像結果のダウンロードが指示されると、メモリカードインターフェース３７、バスＢＵＳ、出力処理部２７を順次介してメモリカード３８に記録されたストリーミングデータを編集装置３に出力する。
【００５５】
これらによりこのビデオカメラ２は、ＭＰＥＧ２の手法を適用した所定フォーマットによるストリーミングデータＤ１により撮像結果を記録媒体２５、メモリカード３８に記録し、編集装置３へのダウンロードにおいては、このストリーミングデータＤ１をそのまま出力する。
【００５６】
なおこれらによりこのビデオカメラ２において、処理部３４の処理に供するプログラムは、このビデオカメラ２に事前にインストールされて提供されるものの、このような事前のインストールに代えて、光ディスク、磁気ディスク、メモリカード等、種々の記録媒体に記録して提供するようにしてもよく、またこれに代えてインターネット等のネットワークを介したダウンロードにより提供するようにしてもよい。
【００５７】
図１は、このようにして記録媒体２５に記録されるストリーミングデータによる動画ファイルのフォーマットを示す略線図である。この実施例において符号化／復号部２１は、このフォーマットによりビデオデータ及びオーディオデータを符号化処理する。
【００５８】
ここで符号化／復号部２１は、ユーザーによるトリガスイッチの操作により記録を開始した後、続くトリガスイッチの操作により記録を停止するまでの期間により１つのファイルを形成する。これにより符号化／復号部２１は、記録の開始が指示されると、順次入力されるビデオデータ及びオーディオデータをＧＯＰ単位により順次区切って符号化処理してビデオデータ及びオーディオデータの符号化データを生成し、これらビデオデータ及びオーディオデータの符号化データを時分割多重化処理してストリーミングデータＤ１を生成する。またこのストリーミングデータＤ１に図示しないヘッダを設けて記録媒体２５に記録し、記録の終了の指示により動画ファイルの記録を終了する。
【００５９】
この一連の符号化処理において、符号化／復号部２１は、MPEG2により定義されるＧＯＰ構造により順次ピクチャータイプを設定してビデオデータ及びオーディオデータを符号化処理する（図１（Ｂ））。また複数個のＧＯＰにより記録単位であるＲＵＶ（Recording Unit of Video）を形成し（図１（Ａ））、このＲＵＶの１つがＤＶＤフォーマットの１つのセル（Ｃｅｌｌ）に対応するように、１つのＲＵＶのＧＯＰ数を設定してビデオデータ及びオーディオデータを符号化処理する。またＤＶＤフォーマットによるパック構造と同一の、固定データ長によるパック構造によりビデオデータ及びオーディオデータの符号化データをパック化して時分割多重化処理し（図１（Ｃ））、各ＧＯＰの先頭に、プライベートパックによるＭＶパックＭＶＰを設けるようにする。なおここでプライベートパックは、ＭＰＥＧ２のフォーマットにおいて、ユーザーが独自に定義して使用することができるとされているパックであり、これによりＤＶＤフォーマットにおいても、ユーザーが独自に定義して使用することができるパックである。この実施例では、ヘッダの設定によりＭＶパックＭＶＰをプライベートパックに定義する。これにより符号化／復号部２１は、ＭＰＥＧ２のフォーマットによる標準の機器、ＤＶＤフォーマットの標準の機器においては、何らビデオデータ及びオーディオデータの処理に影響を与えないようにＭＶパックＭＶＰを設け、所望のデータをストリーミングデータＤ１に多重化処理する。
【００６０】
符号化／復号部２１は、このＭＶパックＭＶＰに、ＤＶＤのフォーマットによるナビゲーションパックの作成に必要な情報を含む特定情報であって、ビデオデータ及びオーディオデータの符号化データによるパックを解析しなければ取得困難な特定情報を割り当てる。具体的に、符号化／復号部２１は、この動画ファイルの再生に必要な情報をこの特定情報に設定し、さらにオーサリングの処理において必要となる情報等をＭＶパックＭＶＰに記録する。これによりこのビデオカメラ２は、このＭＶパックＭＶＰに記録した動画ファイルの再生に必要な情報によりビデオデータ及びオーディオデータによるパックを再生、解析しなくても、ＭＶパックＭＶＰを再生するだけでナビゲーションパックを作成できるようにする。
【００６１】
すなわち符号化／復号部２１は、先頭からパックヘッダ、システムヘッダ、パケットヘッダを順次設け、続いて実データ（ＭＶ  Ｄａｔａ）を配置し、これによりＭＶパックＭＶＰを形成する。
【００６２】
ＭＶパックＭＶＰの実データ（ＭＶ  Ｄａｔａ）は、図３に示すように、先頭からＭＶパックＭＶＰを示す識別データ（MV DAT ID ）、ＭＶパックＭＶＰの作成に係るバージョン（MV DAT VER）、リザーブ（reserved）が順次設けられ、続いてＭＶパックＭＶＰのアプリケーションに係る情報（MV APL）が設けられる。
【００６３】
ここでこのＭＶパックＭＶＰのアプリケーションに係る情報（MV APL）は、この動画ファイルを記録した機器のベンダー名（VND NAME）、プロダクト名（PRD NAME）、アプリケーションの識別コード（APL ID）、このストリームを記載したものを特定する事が出来るManufacturer Informationデータ（MNFI DATA）、リザーブ（reserved）が順次設けられる。
【００６４】
また続いてＭＶパックＭＶＰの実データ（ＭＶ  Ｄａｔａ）は、同一ＲＵＶ内の他のＧＯＰとの相対位置情報（ＧＳＩ：GOP Search Information）が記録される。ここでこの相対位置情報（ＧＳＩ）は、この相対位置情報の有効無効を定義する識別情報（GSI VALID ）、リザーブ（reserved）、相対位置情報の実情報（GOP Search Information）、リザーブ（reserved）が割り当てられる。ここでこの相対位置情報の実情報（GOP Search Information）は、図４に示すように、ＭＶパックＭＶＰが存在するＲＵＶ（Current ）内の他のＧＯＰについて、各ＧＯＰの先頭位置を特定する位置情報が、このナビゲーションパックの先頭位置との相対的な情報により記録される。
【００６５】
また続いてＭＶパックＭＶＰの実データ（ＭＶ  Ｄａｔａ）は、このナビゲーションパックが存在するＲＵＶに係る情報（ＲＳＩ：RUV Search Information）が記録される。ここでこのＲＵＶに係る情報（ＲＳＩ）は、図５に示すように、このＭＶパックが存在するＲＵＶのサイズ（RUV SIZE）、このＭＶパックが存在するＲＵＶの１つ前のＲＵＶの末尾のＧＯＰの位置情報（PRERUV LGOP OFFSET）、リザーブ（reserved）が記録される。なおここでこの１つ前のＲＵＶの末尾のＧＯＰの位置情報（PRERUV LGOP OFFSET）は、このナビゲーションパックが存在するＲＵＶの先頭アドレスからのオフセット量により記録される。
【００６６】
これらにより記録媒体２５に記録されるストリーミングデータＤ１は、ビデオデータ及びオーディオデータを解析しなくても、ＭＶパックＭＶＰを再生するだけでナビゲーションパックを作成できるように作成される。
【００６７】
続いてＭＶパックＭＶＰの実データ（ＭＶ  Ｄａｔａ）は、オーサリングの処理において必要となる情報（FFU DATA）が記録される。なおＭＶパックＭＶＰの実データ（ＭＶ  Ｄａｔａ）は、これらの他に、パック番号等の情報が割り当てられる。
【００６８】
ここでオーサリングの処理において必要となる情報（FFU DATA）は、例えば図６に示すように、ビデオデータ、オーディオデータ、サブピクチャーに係る情報により形成され、ビデオデータに係る情報は、ビデオデータの符号化処理に係るフォーマット（Video Stream）、ビデオデータのフォーマット（ＴＶ System）、水平方向のサイズ（Horizontal Size ）等により形成される。またオーディオに係る情報は、オーディオデータのストリーム数（Audio Stream数）、オーディオデータの符号化処理に係るフォーマット（Audio Codec 情報）、サンプリング周波数（ＦＳ）等により形成される。これらの情報を用いることでVTSIを容易に生成する事が出来る。本来Video/AudioPackを解析することでのみ得られる情報であるので各Packの解析が必要となるが、MVパックMVPの実データを用いる事でストリームの解析なしでこれを生成する事が可能となる。
【００６９】
これらによりこの実施例において、符号化／復号部２１は、処理部３４で取得される各種の情報により、また符号化処理で取得される各種の情報により、ＭＶパックを作成してストリーミングデータＤ１を記録媒体２５に記録する。これらによりビデオカメラ２は、ＤＶＤの光ディスクに記録することを見越して、ＤＶＤのフォーマットによるストリーミングデータに簡易に変換処理できるように、ＭＰＥＧ２によるストリーミングデータＤ１を生成して記録する。
【００７０】
これに対して記録媒体２５、メモリカード３８に記録した撮像結果のモニタ時、符号化／復号部２１は、ＭＶパックより記録された同一ＲＵＶ内の他のＧＯＰとの相対位置情報（ＧＳＩ）、ナビゲーションパックが存在するＲＵＶに係る情報（ＲＳＩ）を再生して処理部３４に出力する。
【００７１】
処理部３４は、このＭＶパックより得られる相対位置情報（ＧＳＩ）、ＲＵＶに係る情報（ＲＳＩ）に基づいて、ディスクインターフェース２３、メモリカードインターフェース３７による記録媒体２５、メモリカード３８のアクセスを制御し、これによりＭＶパックの記録に基づいてＭＰＥＧ２のストリーミングデータにより記録した動画ファイルを再生する。
【００７２】
具体的に、処理部３４は、記録時の速度により記録時の順序により順次ピクチャーを再生するノーマル再生では、相対位置情報（ＧＳＩ）により次のＧＯＰの記録開始位置を検出し、またＲＵＶに係る情報（ＲＳＩ）によりＧＯＰのサイズを検出し、これら記録開始位置、サイズをパラメータに設定した読み出しコマンドの発行により記録媒体２５、メモリカード３８から次のＧＯＰのストリーミングデータを再生して符号化／復号部２１によりデコードする。処理部３４は、この制御の繰り返しによりノーマル再生によるモニタ画像を表示部３５で表示するように全体の動作を制御する。
【００７３】
これに対して記録時の速度により記録時とは逆の順序により順次ピクチャーを再生する巻き戻し再生では、同様に、相対位置情報（ＧＳＩ）により１つ前のＧＯＰの記録開始位置を検出し、またＲＵＶに係る情報（ＲＳＩ）によりＧＯＰのサイズを検出し、これら記録開始位置、サイズをパラメータに設定した読み出しコマンドの発行により記録媒体２５、メモリカード３８から１つ前のＧＯＰのストリーミングデータを再生する。またこの再生したストリーミングデータを符号化／復号部２１によりデコードして並べ直して表示部３５で表示する。この一連の処理において、１つ前のＧＯＰが１つ前のＲＵＶに含まれるものである場合、処理部３４は、ＲＵＶに係る情報（ＲＳＩ）により１つ前のＲＵＶの末尾のＧＯＰの記録開始位置を検出して読み出しコマンドを発行する。
【００７４】
またこのようなノーマル再生、巻き戻し再生における早送り再生では、それぞれ上述したと同様にして読み出しコマンドを発行してストリーミングデータをデコードし、再生速度に応じてデコードしたピクチャーを間引きして表示する。
【００７５】
これらによりこのビデオカメラ２では、ＭＶパックの記録を有効に利用して、記録媒体２５、メモリカード３８に記録した撮像結果による動画ファイルを再生する。
【００７６】
図７は、編集装置を示すブロック図である。編集装置３は、パーソナルコンピュータにより構成され、ビデオカメラ２から出力されるストリーミングデータＤ１をオーサリング処理してＤＶＤによる光ディスク５１に記録する。
【００７７】
ここでこの編集装置３において、ディスクインターフェース（ディスクＩ／Ｆ）５２は、中央処理ユニット５３の制御により、バスＢＵＳに出力されるＤＶＤによるストリーミングデータＤ２をＤＶＤによる光ディスク５１に記録し、またこの光ディスク５１に記録された各種のデータを再生してバスＢＵＳに出力する。
【００７８】
メモリカードインターフェース（メモリカードＩ／Ｆ）５４は、中央処理ユニット５３の制御により、メモリカード５５に記録された各種のデータをバスＢＵＳに出力し、またこれとは逆にバスＢＵＳに出力される各種のデータをメモリカード５５に記録する。
【００７９】
入力処理部５６は、ビデオカメラ２の出力処理部２７から出力される各種のデータを入力するインターフェースであり、中央処理ユニット５３の制御によりビデオカメラ２から出力されるストリーミングデータＤ１をバスＢＵＳに出力する。これによりこの実施例では、ビデオカメラ２を編集装置３に接続して、さらにはメモリカード５５を介して撮像結果を編集装置３にダウンロードできるように構成される。
【００８０】
ハードディスク装置（ＨＤＤ）５７は、中央処理ユニット５３の処理に係るオペレーションシステム、各種アプリケーションプログラム、ビデオカメラ２からダウンロードした動画ファイル等を記録して保持し、中央処理ユニット５３の制御により、バスＢＵＳに出力されるデータを記録し、また記録したデータをバスＢＵＳに出力する。
【００８１】
中央処理ユニット５３は、この編集装置３の動作を制御する制御手段であり、リードオンリメモリ（ＲＯＭ）６０の記録に従ってランダムアクセスメモリ（ＲＡＭ）６１にワークエリアを確保してハードディスク装置５７に格納されたオペレーションシステムを起動し、これにより全体の動作を立ち上げる。またその後、ユーザーによる操作に応動してハードディスク装置５７に記録された編集装置の処理に係るアプリケーションプログラムを実行する。中央処理ユニット５３は、この編集装置３の処理に係るアプリケーションプログラムの実行により、ユーザーによる操作に応動して各部の動作を制御し、このコンピュータを編集装置として機能させる。
【００８２】
すなわち中央処理ユニット５３は、ビデオカメラ２からの動画ファイルのダウンロードがユーザーにより指示されると、メモリカードインターフェース５４、入力処理部５６の制御により、入力処理部５６への接続を介して、又はメモリカード５５を介して、ビデオカメラ２から撮像結果による動画ファイルを取得してハードディスク装置５７に記録する。
【００８３】
またユーザーによりこのハードディスク装置５７に記録した動画ファイルのモニタが指示されると、ハードディスク装置５７に記録した動画ファイルを順次再生してデコードし、図示しない表示部により表示する。このとき中央処理ユニット５３は、このユーザーにより再生が指示された動画ファイルの拡張子の判定により、この動画ファイルがビデオカメラ２によりダウンロードしたＭＶパックが設けられた動画ファイルの場合、ビデオカメラ２について上述したと同様にしてＭＶパックの記録を有効に利用して動画ファイルをハードディスク装置５７から再生する。またこのようにして動画ファイルを再生してユーザーにより編集点の設定を受け付け、ユーザーによる操作に応動してプレビューの処理を実行する。さらにこのようにして編集点の設定を受け付けて編集リストを作成し、ユーザーによりＤＶＤによる光ディスク５１への記録が指示されると、この編集リストの記録に基づいて順次ハードディスク装置５７に記録された動画ファイルを再生してＤＶＤによる光ディスク５１に記録する。
【００８４】
なおこれらハードディスク装置５７にダウンロードした動画ファイルをモニタし、さらには編集処理する際に、ＭＶパックに記録されたオーサリングの処理において必要となる情報（FFU DATA）を利用して、モニタ、編集処理に係る各種の設定を切り換えるようにしてもよい。
【００８５】
このＤＶＤへの記録において、中央処理ユニット５３は、順次ハードディスク装置５７から再生する動画ファイルのストリーミングデータを、図１２〜図１４について上述したＤＶＤファイルフォーマットによるパック構造に変換してハードディスク装置５７に一旦、記録し、この記録したパック構造によるストリーミングデータにＶＭＧ等の管理情報を設定して光ディスク５１に記録する。
【００８６】
この一連の処理において、ハードディスク装置５７より再生してＤＶＤファイルフォーマットに変換する動画ファイルのストリーミングデータが、ビデオカメラ２によりダウンロードしたＭＶパックが設けられたストリーミングデータの場合、図１との対比により図８に示すように、ＲＵＶ、ＧＯＰをそれぞれセル（Ｃｅｌｌ）、ＶＯＢＵに設定するようにして、またＭＶパックをナビゲーションパックに置き換えるようにして、ストリーミングデータを処理し、これにより簡易な処理によりＤＶＤフォーマットによるストリーミングデータを生成する。
【００８７】
またこのときナビゲーションパックについては、ＭＶパックが設けられたＧＯＰのビデオパック、オーディオパックを再生、解析することなく、ＭＶパックに記録した同一ＲＵＶ内の他のＧＯＰとの相対位置情報（ＧＳＩ）、ナビゲーションパックが存在するＲＵＶに係る情報（ＲＳＩ）により作成する。
【００８８】
すなわち中央処理ユニット５３は、同一ＲＵＶ内の他のＧＯＰとの相対位置情報（ＧＳＩ）に基づいて、各ＶＯＢＵのスタートＰＴＳ（ＶＯＢＵ  ＳＰＴＳ）及び終了ＰＴＳ（ＶＯＢＵ  ＥＰＴＳ）、さらにはＭＶパックのスタートアドレス等を検出し、この検出結果によりナビゲーションパックを生成してＭＶパックと置き換える。
【００８９】
なおＭＶパックをＤＶＤフォーマットのプライベートパックに定義して、別途ＮＶパックを設けるようにしてＤＶＤフォーマットのストリーミングデータに変換するようにしてもよい。
【００９０】
（２）実施例の動作
以上の構成において、この編集システム１では（図２）、ビデオカメラ２で取得された撮像結果が編集装置３にダウンロードされ、編集装置３でオーサリング処理されてＤＶＤによる光ディスクに記録される。
【００９１】
このためビデオカメラ２では、カメラ部６により取得されるビデオデータ及びオーディオデータの撮像結果が記録再生部７の符号化／復号部２１に入力され、ここでこれらビデオデータ及びオーディオデータがＭＰＥＧ２の手法によりデータ圧縮されて符号化データが生成され、さらにこの符号化データが時分割多重化処理されてＭＰＥＧ２によるストリーミングデータＤ１が生成される。さらにこのストリーミングデータＤ１が記録媒体２５、メモリカード３８に記録され、これら記録媒体２５、メモリカード３８に記録されたストリーミングデータが編集装置３にダウンロードされる。
【００９２】
これらビデオカメラ２における一連の処理において、ビデオデータ及びオーディオデータの符号化データは（図１）、ＤＶＤによる光ディスクに記録することを見越して、ＤＶＤフォーマットによるストリーミングデータと同一の固定データ長のパックにより多重化処理されてストリーミングデータＤ１が生成される。これによりビデオカメラ２では、ＤＶＤによる光ディスクのストリーミングデータＤ１に変換する際の処理を簡略化することができ、その分、ＤＶＤの光ディスクの記録に要する時間を従来に比して短くすることができる。
【００９３】
またこのようにしてＤＶＤフォーマットによる場合と同一のデータ構造によりストリーミングデータＤ１を生成するようにして、ストリーミングデータＤ１は、ナビゲーションパックの作成に必要な情報を含む特定情報であって、ビデオデータ及びオーディオデータのパックを解析しなければ取得困難な特定情報によるＭＶパックが形成され、このＭＶパックがＧＯＰ毎に多重化されて生成される（図３）。
【００９４】
これによりこの編集システム１では、ビデオデータ及びオーディオデータのパックをいちいち再生、解析しなくても、ナビゲーションパックを作成することができ、その分、ＤＶＤによる光ディスクのストリーミングデータに変換する際の処理を簡略化することができ、その分、ＤＶＤの光ディスクの記録に要する時間を従来に比して短くすることができる。
【００９５】
またこのＭＶパックは、プライベートパックにより作成され、これにより何らこのＭＶパックに対応していない通常のＭＰＥＧ２のストリーミングデータを処理する機器にあっては、デコード等に係る一連の処理に影響を与えないようにすることができる。
【００９６】
具体的に、ビデオカメラ２では、セル（Ｃｅｌｌ）に対応する複数のＧＯＰによるＲＵＶが記録単位に設定されて、この記録単位内において他のＧＯＰの先頭位置を特定する位置情報と、この記録単位のサイズの情報と、直前の記録単位の最後のＧＯＰの先頭位置を特定する位置情報とによりＭＶパックが作成され、これによりＤＶＤの光ディスクの記録に要する時間を従来に比して短くすることができる（図４及び図５）。
【００９７】
またこのビデオカメラ２では、ナビゲーションパックを配置するＶＯＢＵの先頭に対応するＧＯＰの先頭に、このＭＶパックが配置され、これによりＤＶＤによるストリーミングデータを作成する場合には、このＭＶパックをナビゲーションパックで置き換えるだけで、ＭＶパックに記録された各種記録位置情報を操作することなく、より具体的にはナビゲーションパックに割り当てるＮＶ  ＰＣＫ  ＳＣＲ等を設定し直さなくても、ナビゲーションパックを生成してＤＶＤによるストリーミングデータを作成することができ、これにより一段とＤＶＤの光ディスクの記録に要する時間を従来に比して短くすることができる。
【００９８】
またビデオカメラ２では、オーサリングの処理において必要となる情報（FFU DATA）が記録されてＭＶパックが作成され、これによりこの情報（FFU DATA）を利用して各種の処理を簡略化、高速度化することができる。
【００９９】
すなわちこのようにして記録媒体２５、メモリカード３８に記録されて、編集装置３にダウンロードされた動画ファイルは（図７）、ハードディスク装置５７に保持され、中央処理ユニット５３による処理により再生されてモニタに供され、さらに編集リストの作成に供される。またこの編集リストの記録に従って順次ハードディスク装置５７から再生されてＤＶＤフォーマットによるストリーミングデータに変換されてハードディスク装置５７に格納され、このＤＶＤフォーマットによるストリーミングデータが光ディスク５１に記録される。
【０１００】
これら一連の処理において、この編集装置３にダウンロードされた動画ファイルは、ＲＵＶ、ＧＯＰがそれぞれセル（Ｃｅｌｌ）、ＶＯＢＵに設定され、さらにＭＶパックの記録によりナビゲーションパックが作成され、ＤＶＤフォーマットによるストリーミングデータに変換される。これにより編集装置３では、ＤＶＤの光ディスクの記録に要する時間を従来に比して格段的に短くすることができる。
【０１０１】
またＭＶパックをナビゲーションパックに置き換えてＤＶＤフォーマットによるストリーミングデータに変換し、これによっても一段とＤＶＤの光ディスクの記録に要する時間を従来に比して格段的に短くすることができる。
【０１０２】
（３）実施例の効果
以上の構成によれば、光ディスクのフォーマットによる固定データ長のパックによりデータ圧縮したビデオデータ及びオーディオデータを多重化するようにして、ナビゲーションパックの作成に必要な情報を含む特定情報であって、ビデオデータ及びオーディオデータのパックを解析しなければ取得困難な特定情報を、ＧＯＰ毎にストリーミングデータに多重化することにより、ＤＶＤの光ディスクの記録に要する時間を従来に比して格段的に短くすることができる。
【０１０３】
またこの特定情報が、記録単位内において他のＧＯＰの先頭位置を特定する位置情報と、記録単位のサイズの情報と、直前の記録単位の最後のＧＯＰの先頭位置を特定する位置情報とであることにより、ビデオパック及びオーディオパックを再生、解析しなくてもナビゲーションパックを作成することができ、その分、ＤＶＤの光ディスクの記録に要する時間を従来に比して格段的に短くすることができる。
【０１０４】
またこの特定情報によるパックをＧＯＰの先頭に配置することにより、このパックをナビゲーションパックと置き換えて、この特定情報による位置情報を操作することなく、ストリーミングデータを生成することができ、これによってもＤＶＤの光ディスクの記録に要する時間を従来に比して格段的に短くすることができる。
【０１０５】
すなわち編集装置側にあっては、この特定情報によりナビゲーションパックを生成し、このナビゲーションパックを用いて、各記録単位をそれぞれセルに設定して、光ディスクへの記録に供するストリーミングデータを生成することにより、従来に比してＤＶＤの光ディスクの記録に要する時間を従来に比して格段的に短くすることができる。
【０１０６】
またこの特定情報によるパックをナビゲーションパックにより置き換えて、光ディスクへの記録に供するストリーミングデータを生成することによっても、従来に比してＤＶＤの光ディスクの記録に要する時間を従来に比して格段的に短くすることができる。
【実施例２】
【０１０７】
ところで上述した実施例１のビデオカメラ２によるＭＰＥＧ２フォーマットのストリーミングデータＤ１によれば、別途、再生制御情報を伝送することなく、ＲＵＶ、又はＧＯＰのデータを伝送するだけで、再生側での再生に必要な情報を伝送することができることにより、効率良くデータ伝送することができる。この実施例では、この長所を動画伝送方法に適用する。
【０１０８】
すなわち図９は、本発明の実施例２に係る動画伝送システムの構成を示す略線図である。この動画伝送システム７１は、コンテンツサーバー７２に動画ファイルを保持し、コンテンツクライアント７３からの要求によりこの保持した動画ファイルをコンテンツクライアント７３に送出する。
【０１０９】
ここでコンテンツクライアント７３は、インターネットによりコンテンツサーバー７２に接続可能なコンピュータであり、ユーザーによる操作に応動してコンテンツサーバー７２をアクセスする。
【０１１０】
コンテンツサーバー７２は、図７について上述したと同様の、大容量のハードディスク装置を有するコンピュータであり、かつインターネットによりコンテンツクライアント７３が接続可能なコンピュータである。このコンテンツサーバー７２は、図１及び図３について上述したＭＶパックをプライベートパックとして有するＶＯＢＵによるＤＶＤフォーマットのＶＯＢファイルにより映像コンテンツをハードディスク装置に記録して保持する。またインターネット上にホームページを展開し、このホームページの閲覧によるコンテンツクライアント７３からの要求によりこの映像コンテンツを送出する。
【０１１１】
これによりコンテンツサーバー７２は、ＤＶＤフォーマットによる固定データ長のパックにより、ビデオデータ及びオーディオデータをデータ圧縮した符号化データを時分割多重化したストリーミグデータを、伝送路により接続されたコンテンツクライアント７３に送出する。またこのようにして多重化して生成されたストリーミングデータにおけるビデオデータ及びオーディオデータのパックを解析しなければ取得困難な特定情報であって、このストリーミングデータの再生に必要な特定情報を、ＧＯＰ毎に、ストリーミングデータのプライベートパックにより多重化してストリーミングデータを送出する。
【０１１２】
この動画伝送システム７１において、コンテンツサーバー７２は、コンテンツクライアント７３から動画ファイルの送信が要求されると、この動画ファイルの先頭から、例えば１つ又は複数個のＶＯＢＵをコンテンツクライアント７３に送出する。このようにしてＶＯＢＵを伝送して、コンテンツクライアント７３では、この伝送された１つ又は複数個のＶＯＢＵをデコードして、ユーザーによる指示に応じて、例えばノーマル再生により、又は例えばＩピクチャーだけの選択的な再生による早送り再生により、デコードした映像コンテンツをユーザーに提供する。ここでこのときコンテンツクライアント７３では、このＶＯＢＵに設定されたＭＶパックによりこの伝送されたＶＯＢＵを順次再生してユーザーに提供することができ、また同一のセルに属する他のＶＯＢＵ、さらには続くセルの先頭ＶＯＢＵを指定して続く送信要求を出力する。
【０１１３】
コンテンツサーバー７２は、これによりこの送信要求に応動して、同一のセルに属する他のＶＯＢＵ、続くセルの先頭ＶＯＢＵを送出する。なおこのようにして動画ファイルの先頭以外では、受信したＶＯＢＵの属するセルより先頭側のセルの末尾のＶＯＢＵを指定して送信要求を出力することも可能となる。
【０１１４】
この動画伝送システム７１では、この送信要求と、この送信要求に応動したＶＯＢＵによるストリーミングデータの送信との繰り返しにより動画ファイルによる映像コンテンツを伝送し、これによりコンテンツクライアント７３における動画ファイルの再生に対応するようにＶＯＢＵによる映像コンテンツを効率良く伝送する。しかして図９の例では、連続するＶＯＢＵを間引きしてコンテンツクライアント７３に伝送し、コンテンツクライアント７３側で早送り再生により再生する場合である。
【０１１５】
なおこのようなＤＶＤフォーマットによるＶＯＢファイルに代えて、図１について上述したプライベートパックによるＭＶパックを有するＭＰＥＧフォーマットのストリーミングデータにより動画ファイルを伝送するようにしてもよい。
【０１１６】
この実施例によれば、光ディスクのフォーマットによる固定データ長のパックによりデータ圧縮したビデオデータ及びオーディオデータを多重化するようにして、ナビゲーションパックの作成に必要な情報を含む特定情報であって、ビデオデータ及びオーディオデータのパックを解析しなければ取得困難な特定情報を、ＧＯＰ毎に、ストリーミングデータに多重化することにより、効率良く動画ファイルを伝送することができる。
【実施例３】
【０１１７】
図１０は、図１との対比により本発明の実施例３の編集システムに適用されるＭＰＥＧ２によるストリーミングデータを示す略線図である。この実施例に係る編集システムは、このＭＰＥＧ２によるストリーミングデータに係る構成が異なる点を除いて、実施例１について上述した編集システム１と同一に構成される。
【０１１８】
ここでこの編集システムでは、オーサリング処理に必要な情報を別途、プライベートパックによる追加記録情報パック（ＡＲＩ  ＰＣＫ）によりストリーミングデータに多重化する。ここでこの追加記録情報パック（ＡＲＩ  ＰＣＫ）は、図１１に示すように、記録時間情報、撮像時に係る条件の情報等により形成される。
【０１１９】
これによりこの実施例において、編集装置側では、ＭＶパックと追加記録情報パック（ＡＲＩ  ＰＣＫ）とをＮＶパックに置き換えて、又はＭＶパック、追加記録情報パック（ＡＲＩ  ＰＣＫ）の一方をＮＶパックに置き換えて他方をＤＶＤフォーマットにおけるプライベートパックに定義して、又は別途ＮＶパックを設けてＭＶパック、追加記録情報パック（ＡＲＩ  ＰＣＫ）の双方をＤＶＤフォーマットにおけるプライベートパックに定義して、ＤＶＤフォーマットによるストリーミングデータを生成する。
【０１２０】
この実施例のように、別途、オーサリング処理に必要な情報をプライベートパックにより多重化するようにしても、実施例１と同様の効果を得ることができる。
【実施例４】
【０１２１】
なお上述の実施例においては、ＤＶＤによる光ディスクに動画ファイルを記録する場合に本発明を適用した場合について述べたが、本発明はこれに限らず、ＤＶＤビデオレコーディング（DVD Video Recording ）規格等、種々のフォーマットにより光ディスクに動画ファイルを記録する場合に広く適用することができる。なおＤＶＤビデオレコーディング規格では、ナビゲーションパックに相当するパックがＲＤＩ  ＰＣＫとなる。
【産業上の利用可能性】
【０１２２】
本発明は、例えばハードディスク装置を記録媒体に適用したビデオカメラに適用することができる。
【図面の簡単な説明】
【０１２３】
【図１】本発明の実施例１に係る編集システムのビデオカメラによる記録フォーマットの説明に供する略線図である。
【図２】本発明の実施例１に係る編集システムを示すブロック図である。
【図３】図１のＭＶパックの説明に供する図表である。
【図４】図３のＭＶパックに割り当てられる位置情報の説明に供する略線図である。
【図５】図４と異なる位置情報の説明に供する略線図である。
【図６】オーサリングの処理に必要な情報の説明に供する図表である。
【図７】図２の編集システムに適用される編集装置を示すブロック図である。
【図８】図７の編集装置による記録フォーマットの説明に供する略線図である。
【図９】本発明の実施例２に係る動画伝送システムを示すブロック図である。
【図１０】本発明の実施例３に係る編集システムの説明に供する略線図である。
【図１１】図１０の編集システムに係る追加記録情報パックの説明に供する略線図である。
【図１２】ＤＶＤフォーマットの説明に供する略線図である。
【図１３】ＶＯＢＳの構成を示す略線図である。
【図１４】ナビゲーションパックの説明に供する略線図である。
【符号の説明】
【０１２４】
１……編集システム、２……ビデオカメラ、３……編集装置、５……制御部、６……カメラ部、７……記録再生処理部、２５……記録媒体、３４……処理部、５１……光ディスク、５３……中央処理ユニット
【図１】
0004534971.tif 000002
【図２】
0004534971.tif 000003
【図３】
0004534971.tif 000004
【図４】
0004534971.tif 000005
【図５】
0004534971.tif 000006
【図６】
0004534971.tif 000007
【図７】
0004534971.tif 000008
【図８】
0004534971.tif 000009
【図９】
0004534971.tif 000010
【図１０】
0004534971.tif 000011
【図１１】
0004534971.tif 000012
【図１２】
0004534971.tif 000013
【図１３】
0004534971.tif 000014
【図１４】
0004534971.tif 000015